(57)【要約】【課題】中空セグメント、複数の当該中空セグメントを連結させた環状構造体、及び、複数の当該環状構造体を積み重ねて構成した止水壁構造体の断面係数及び剛性を高める。【解決手段】少なくとも一部が水没した構造物を間隔を介して取り囲む止水壁構造体を構成する中空セグメント（３）であって、止水壁構造体の外壁を形成する外側プレート（３０）と、止水壁構造体の内壁を形成する内側プレート（３２）と、外側プレート（３０）と内側プレート（３２）との間の空間を覆う壁部と、を備える中空セグメント（３）であって、外側プレート（３０）、内側プレート（３２）及び壁部によって外部に対して閉じられた内部空間（３ｉｓ）が画成されている。【選択図】図２
2018138726.tif 000002
【特許請求の範囲】
【請求項１】
少なくとも一部が水没した構造物を間隔を介して取り囲む止水壁構造体を構成する中空セグメントであって、
前記止水壁構造体の外壁を形成する外側プレートと、
前記止水壁構造体の内壁を形成する内側プレートと、
前記外側プレートと前記内側プレートとの間の空間を覆う壁部と、
を備え、
前記外側プレート、内側プレート及び前記壁部によって外部に対して閉じられた内部空間が画成されていることを特徴とする中空セグメント。
【請求項２】
前記内部空間内に浮力形成部材が設けられていることを特徴とする請求項１に記載の中空セグメント。
【請求項３】
前記外側プレート及び前記内側プレートは、起伏を繰り返す波状板部を有することを特徴とする請求項１又は２に記載の中空セグメント。
【請求項４】
前記外側プレート及び前記内側プレートは、平面視矩形状を有しており、
前記壁部は、前記外側プレート及び前記内側プレートの長手方向に沿った壁部を形成する長手壁面プレートと、前記外側プレート及び前記内側プレートの短手方向に沿った壁部を形成する短手壁面プレートとを備え、
前記長手壁面プレートは、前記短手方向における両端部に前記長手方向に沿って複数の孔が形成されており、
前記短手壁面プレートは、前記短手方向における両端部に当該短手方向に沿って複数の孔が形成されている
ことを特徴とする請求項１から３までのいずれか一項に記載の中空セグメント。
【請求項５】
前記外側プレートの前記外壁を形成する面、及び前記内側プレートの前記内壁を形成する面の少なくとも一方に、外部と前記内部空間とを接続する開口が形成されており、
前記外側プレート及び前記内側プレートは、前記開口を開閉自在な開閉部材を備える
ことを特徴とする請求項１から４までのいずれか一項に記載の中空セグメント。
【請求項６】
少なくとも一部が水没した構造物を間隔を介して取り囲んで形成される止水壁構造体の外壁を形成する外側プレートと、前記止水壁構造体の内壁を形成する内側プレートと、前記外側プレートと前記内側プレートとの間の空間を覆う壁部と、を備え、前記外側プレート、内側プレート及び前記壁部によって外部に対して閉じられた内部空間が画成されている中空セグメントを水平方向に複数連結して構成されていることを特徴とする環状構造体。
【請求項７】
少なくとも一部が水没した構造物を間隔を介して取り囲んで形成される止水壁構造体であって、外壁を形成する外側プレートと、内壁を形成する内側プレートと、前記外側プレートと前記内側プレートとの間の空間を覆う壁部と、を備え、前記外側プレート、内側プレート及び前記壁部によって外部に対して閉じられた内部空間が画成されている中空セグメントを水平方向に複数連結して構成された複数の環状構造体が鉛直方向に積み重ねられて構成されていることを特徴とする止水壁構造体。
【発明の詳細な説明】
【技術分野】
【０００１】
本発明は、中空セグメント、複数の当該中空セグメントが連結された環状構造体、及び、複数の当該環状構造体が鉛直方向に積み重ねられて構成された止水壁構造体に関する。
【背景技術】
【０００２】
河川などの水中に構築された橋脚を補強・補修する場合、河川の流れを堰き止めて所定の作業空間を橋脚の周囲に確保するために止水壁を構築する必要がある。
このような止水壁は、鋼板等から平板状又は所定の曲率を有して円弧状に形成された複数枚のライナープレートを、橋脚の周方向及び高さ方向に互いに連結して橋脚を取り囲むように構築されている（例えば、特許文献１参照。）。
【先行技術文献】
【特許文献】
【０００３】
【特許文献１】特開平９−２２１７６０号公報
【発明の概要】
【発明が解決しようとする課題】
【０００４】
しかしながら、特許文献１の止水壁のように、ライナープレートを橋脚の周方向及び高さ方向に連結した止水壁では、例えば、静水圧に抗する強度は十分ではなかった。そこで、内側から止水壁を支えるために止水壁と橋脚との間に支保工（例えば、切梁等）を橋脚の周囲に亘って複数設置する必要があった。支保工は、作業空間に設置されることになるので、補強・補修作業の妨げになることがあり、作業効率が低下することがあった。
また、ライナープレートを高さ方向に複数積み重ねて止水壁を構築する際、ライナープレートの高さ方向の連結及び固定は、潜水士により水中において行われ、潜水士による水中作業が多く必要とされていた。したがって、特許文献１における止水壁の構築は、施工性が悪く、止水壁を形成するまでに長い施工期間を要するといった問題があった。
【０００５】
そこで、本発明は、上記課題に鑑みてなされたものであり、断面係数及び剛性が高められた中空セグメント、複数の当該中空セグメントを連結させた環状構造体、及び、複数の当該環状構造体を積み重ねて構成した止水壁構造体を提供することを目的とする。
【課題を解決するための手段】
【０００６】
上記目的を達成するために、本発明は、少なくとも一部が水没した構造物を間隔を介して取り囲む止水壁構造体を構成する中空セグメントであって、前記止水壁構造体の外壁を形成する外側プレートと、前記止水壁構造体の内壁を形成する内側プレートと、前記外側プレートと前記内側プレートとの間の空間を覆う壁部と、を備え、前記外側プレート、内側プレート及び前記壁部によって外部に対して閉じられた内部空間が画成されていることを特徴とする。
【０００７】
また、前記内部空間内に浮力形成部材が設けられていることが好ましい。
【０００８】
また、前記外側プレート及び前記内側プレートは、起伏を繰り返す波状板部を有することが好ましい。
【０００９】
また、前記外側プレート及び前記内側プレートは、平面視矩形状を有しており、前記壁部は、前記外側プレート及び前記内側プレートの長手方向に沿った壁部を形成する長手壁面プレートと、前記外側プレート及び前記内側プレートの短手方向に沿った壁部を形成する短手壁面プレートとを備え、前記長手壁面プレートは、前記短手方向における両端部に前記長手方向に沿って複数の孔が形成されており、前記短手壁面プレートは、前記短手方向における両端部に当該短手方向に沿って複数の孔が形成されていることが好ましい。
【００１０】
また、前記外側プレートの前記外壁を形成する面、及び前記内側プレートの前記内壁を形成する面の少なくとも一方に、外部と前記内部空間とを接続する開口が形成されており、前記外側プレート及び前記内側プレートは、前記開口を開閉自在な開閉部材を備えることが好ましい。
【００１１】
さらに、上記目的を達成するために、本発明は、少なくとも一部が水没した構造物を間隔を介して取り囲んで形成される止水壁構造体を構成する環状構造体であって、止水壁構造体の外壁を形成する外側プレートと、前記止水壁構造体の内壁を形成する内側プレートと、前記外側プレートと前記内側プレートとの間の空間を覆う壁部と、を備え、前記外側プレート、内側プレート及び前記壁部によって外部に対して閉じられた内部空間が画成されている中空セグメントを水平方向に複数連結して構成されていることを特徴とする。
【００１２】
さらに、上記目的を達成するために、本発明は、少なくとも一部が水没した構造物を間隔を介して取り囲んで形成される止水壁構造体であって、外壁を形成する外側プレートと、内壁を形成する内側プレートと、前記外側プレートと前記内側プレートとの間の空間を覆う壁部と、を備え、前記外側プレート、内側プレート及び前記壁部によって外部に対して閉じられた内部空間が画成されている中空セグメントを水平方向に複数連結して構成された複数の環状構造体が鉛直方向に積み重ねられて構成されていることを特徴とする。
【発明の効果】
【００１３】
本発明によれば、止水壁構造体の断面係数及び剛性を高めることができる。
【図面の簡単な説明】
【００１４】
【図１】本発明の実施の形態に係る止水壁構造体の概略図である。
【図２】本発明の実施の形態に係る中空セグメントをその一部を除去して示す斜視図である。
【図３】図２に示す中空セグメントの外側（内側）プレートの斜視図である。
【図４】止水壁構造体のコーナ部における本発明の実施に係る中空セグメントをその一部を除去して示す斜視図である。
【図５】図４に示す中空セグメントの構成を説明するための断面図である。
【図６】図５に示す上側プレートの平面図である。
【図７】本発明の実施の形態に係る止水壁構造体の平面概略図である。
【図８】従来の止水壁構造体の平面概略図である。
【００１５】
本発明の好ましい実施の形態について、図面を参照しながら説明する。なお、以下に示す実施の形態は一例であり、本発明の範囲において、種々の実施の形態をとりうる。
【００１６】
＜止水壁構造体＞
図１は、本発明の実施の形態に係る止水壁構造体の概略図である。図２は、本発明の実施の形態に係る中空セグメントをその一部を除去して内部空間が見える状態にして示す斜視図である。図３は、図２に示す中空セグメントの外側（内側）プレートの斜視図である。図４は、止水壁構造体のコーナ部における本発明の実施に係る中空セグメントの斜視図である。図５は、図４に示す中空セグメントの構成を説明するための断面図である。図６は、図５に示す上側プレートの平面図である。図７は、本発明の実施の形態に係る止水壁構造体の平面概略図である。
【００１７】
図１に示すように、止水壁構造体１００は、河川や海等の水中に立設された橋脚ｂｌの補強・補修を行う際に、橋脚ｂｌの周囲に作業空間ｗｓを形成するために橋脚ｂｌを取り囲んで形成されている。止水壁構造体１００は、複数の中空セグメントを水平方向ｈｒに連結して平面視矩形状に形成された環状構造体１を、鉛直方向ｖに沿って水面ｗｌ上で複数積み重ねて連結して筒状に組み立てたものである。
中空セグメントは、略直方体状の中空セグメント３と、当該中空セグメント３を互いに直角をなすようにコーナ部Ｃにおいて連結する（以下削除）中空セグメント４とを備える。
【００１８】
［中空セグメント３］
図２に示すように、中空セグメント３は、止水壁構造体１００の外壁を形成する外側プレート３０と、止水壁構造体１００の内壁を形成する内側プレート３２と、当該外側プレート３０及び当該内側プレート３２の間の空間を覆う壁部とを備えている。なお、以下の図において、説明の便宜上、中空セグメント３及び中空セグメント４の長さ方向（長手方向）を「ｌ」、高さ方向（短手方向）を「ｈ」、幅方向（厚さ方向）を「ｗ」とする。
壁部は、中空セグメント３をその高さ方向ｈにおいて上側ｈ１から覆う上側プレート３４と、下側ｈ２から覆う下側プレート３６と、中空セグメント３を長さ方向ｌにおいて側方ｌ１，ｌ２から覆う２つの側方プレート３８，３９とを備える。
【００１９】
中空セグメント３は、外側プレート３０、内側プレート３２、上側プレート３４、下側プレート３６、及び側方プレート３８，３９により中空の内部空間３ｉｓが画成されて箱状に形成されている。
【００２０】
（外側プレート）
図３に示すように、外側プレート３０は、平面視矩形状に構成されており、例えば、鋼板を波形状に湾曲させて形成した波状板部３０ａを有する直線状の鋼矢板により形成された、いわゆるライナープレートである。波状板部３０ａは、高さ方向ｈに沿って外側プレート３０の厚さ方向ｗに起伏して形成されている。外側プレート３０は、波状板部３０ａの高さ方向ｈにおける上側ｈ１及び下側ｈ２の両端部に平坦部３０ｂを有する。
【００２１】
外側プレート３０は、平坦部３０ｂを長さ方向ｌに沿って折り曲げた長手フランジ３０ｃと、長さ方向ｌの両端部に別体の鋼板を溶接することで一体に形成されて上側ｈ１の長手フランジ３０ｃと下側ｈ２の長手フランジ３０ｃとの間を延在する短手フランジ３０ｄとを有している。
なお、長手フランジ３０ｃは、外側プレート３０に一体的に形成したものであるが、外側プレート３０とは別体に形成して鋼板を溶接等によって固定したものであってもよい。
【００２２】
高さ方向ｈにおいて外側プレート３０の下側ｈ２の平坦部３０ｂに開口（図示せず）が形成されている。開口には、当該開口を開閉することで中空セグメント３の内部空間３ｉｓと、外部（例えば、大気、水中）との接続を調整する開閉部材３１が設けられている。開閉部材３１は、例えば開口を塞ぐ弁部材であってよい。また、開閉部材３１は、外側プレート３０の上側ｈ１の平坦部３０ｂに設けられていてもよい。
【００２３】
（内側プレート）
内側プレート３２は、外側プレート３０に対して平行に対向して配置されている。内側プレート３２は、波状板部３２ａと、平坦部３２ｂと、長手フランジ３２ｃと、短手フランジ３２ｄと、開閉部材３３とを備える。内側プレート３２の構成は、外側プレート３０の構成と同じであるため、図２において符号のみを記載して内側プレート３２の具体的な構成の説明は省略する。
【００２４】
（上側プレート）
図２に示すように、上側プレート３４（長手壁面プレート）は、平面視矩形状の鋼板により形成されており、外側プレート３０と内側プレート３２との間の空間を高さ方向ｈにおいて上側ｈ１から覆っている。上側プレート３４は、外側プレート３０及び内側プレート３２の上側ｈ１の長手フランジ３０ｃ，３２ｃに沿って溶接されている。幅方向ｗにおける上側プレート３４の端部は、外側プレート３０及び内側プレート３２から突き出ており、当該突き出た部分には、長さ方向ｌに沿って複数の貫通孔３４ａが等間隔に形成されている。
貫通孔３４ａは、中空セグメント３を積み重ねる場合に、上側ｈ１に重ねられる中空セグメント３と連結するための連結具（図示せず）のボルトを挿通するためのものである。
【００２５】
（下側プレート）
下側プレート（長手壁面プレート）３６は、上側プレート３４に対して平行に対向して配置されている。下側プレート３６は、平面視矩形状の鋼板により形成されており、外側プレート３０と内側プレート３２との間の空間を高さ方向ｈにおいて下側ｈ２から覆っている。下側プレート３６は、外側プレート３０及び内側プレート３２の下側ｈ２の長手フランジ３０ｃ，３２ｃに沿って溶接されている。幅方向ｗにおける下側プレート３６の端部は、外側プレート３０及び内側プレート３２から突き出ており、当該突き出た部分には、長さ方向ｌに沿って複数の貫通孔３６ａが等間隔に形成されている。
貫通孔３６ａは、中空セグメント３を積み重ねる場合に、下側ｈ２の中空セグメント３と連結するための連結具（図示せず）のボルトを挿通するためのものである。
【００２６】
（側方プレート）
図２に示すように、側方プレート（短手壁面プレート）３８，３９は、平面視矩形状の鋼板により形成されており、外側プレート３０と内側プレート３２との間の空間を側方ｌ１，ｌ２から覆っている。側方プレート３８，３９は、高さ方向ｈに沿って外側プレート３０及び内側プレート３２の各短手フランジ３０ｂ，３２ｄに溶接されていると共に、幅方向ｗに沿って上側プレート３４及び下側プレート３６の縁部に溶接されている。
側方プレート３８，３９は、幅方向ｗの端部が外側プレート３０及び内側プレート３２から突き出ており、当該突き出た部分には、高さ方向ｈに沿って複数の貫通孔３８ａ，３９ａが等間隔に形成されている。
貫通孔３８ａ，３９ａは、中空セグメント３同士を水平方向ｈｒに連結する場合に、隣接する中空セグメント３と連結するための連結具（図示せず）のボルトを挿通するためのものである。また、貫通孔３８ａ，３９ａには、中空セグメント３がコーナ部Ｃにおいて中空セグメント４に隣接する場合には、当該中空セグメント４と連結するための連結具（図示せず）のボルトが挿通される。
【００２７】
（浮力形成部材）
中空セグメント３は、その内部空間３ｉｓに浮力形成部材５を備えている。浮力形成部材５は、発泡体、例えば、ポリウレタンフォーム、ポリスチレンフォーム、ポリエチレンフォーム、ポリプロピレンフォーム、スチロールフォーム等の合成樹脂発泡体により形成されている。また、中空セグメント３の製造時に内部空間３ｉｓに存在する空気を浮力形成部材としてもよい。
【００２８】
［中空セグメント４］
中空セグメント４は、互いに直交する位置関係にある中空セグメント３同士を連結するものである（図７参照。）。図４及び図５に示すように、中空セグメント４は、止水壁構造体１００又は環状構造体１のコーナ部Ｃにおいて、止水壁構造体１００の外壁を形成する外壁部４０と、止水壁構造体１００の内壁を形成する内壁部４２と、当該外壁部４０及び当該内壁部４２の間の空間を覆う壁部とを備えている。
壁部は、中空セグメント４をその高さ方向ｈにおいて上側ｈ１から覆う上壁部４４と、下側ｈ２から覆う下壁部４６と、中空セグメント４を側方ｌ３，ｌ４から覆う２つの側方プレート４８，４９と、を備える。なお、中空セグメント４は、長さ方向ｌにおいて途中で略直角に屈曲しており、互いに直交する２つの軸線ｘを備える。
中空セグメント４は、外壁部４０、内壁部４２、上壁部４４、下壁部４６、及び側壁部４８，４９により中空の内部空間４ｉｓが画成されて平面視略く字状で箱状に形成されている。
【００２９】
（外壁部）
外壁部４０は、互いに直交するように配置された２つの外側プレート４１を備え、当該外側プレート４１は、アングル部材（例えば、等辺山形鋼等。）Ａにそれぞれ溶接されて連結されている。外側プレート４１は、平面視矩形状に構成されており、例えば、鋼板を波形状に湾曲させて形成した波状板部４１ａを有する直線状の鋼矢板により形成された、いわゆるライナープレートである。波状板部４１ａは、高さ方向ｈに沿って外側プレート４１の厚さ方向ｗに起伏して形成されている。外側プレート４１は、波状板部４１ａの高さ方向ｈにおける上側ｈ１及び下側ｈ２の両端部に平坦部４１ｂを有する。
【００３０】
外側プレート４１は、平坦部４１ｂを長さ方向ｌに沿って折り曲げて形成された長手フランジ４１ｃと、長さ方向ｌの両側端部に別体の鋼板を溶接することで一体に形成された短手フランジ４１ｄとを有している。
長手フランジ４１ｃは、波状板部４１ａと一体的に形成したものであるが、波状板部４１ａと別個に形成して鋼板を溶接等によって固定したものであってもよい。
【００３１】
波状板部４１ａは、高さ方向ｈにおいて下側ｈ２の平坦部４１ｂに開口（図示せず）が形成されている。開口には、当該開口を開閉することで中空セグメント４の内部空間４ｉｓと、外部（例えば、大気、水中）との接続を調整する開閉部材４１ｖが設けられている。開閉部材４１ｖは、例えば開口を塞ぐ弁部材であってよい。また、開口部材４１ｖは、外側プレート４１の上側ｈ１の平坦部４１ｂに設けられていてもよい。
【００３２】
（内壁部）
内壁部４２は、互いに直交するように配置された２つの内側プレート４３を備え、当該内側プレートはそれぞれ、各外側プレート４１に対して平行に対向して配置されている。内側プレート４３は、アングル部材（例えば、等辺山形部材等。）Ａにそれぞれ溶接されて連結されている。内側プレート４３の長さは、外側プレート４１の長さよりも短く形成されている。
内側プレート４３は、波状板部４３ａと、平坦部４３ｂと、長手フランジ４３ｃと、短手フランジ４３ｄと、開閉部材４３ｖとを備える。内側プレート４３の構成は、長さ方向ｌにおける寸法以外は、外側プレート４０の構成と同じであるため、図４において符号のみを記載して内側プレート４３の具体的な構成の説明は省略する。
【００３３】
（上壁部）
上壁部４４は、軸線ｘが直交するように溶接されている２つの上側プレート４５，４５を備える。上側プレート４５は、平面視略台形状の鋼板によって形成されており、外側プレート４１と内側プレート４３との間の空間を高さ方向ｈにおいて上側ｈ１から覆っている。
上側プレート４５は、図４においては見えないが外側プレート４１及び内側プレート４３の上側ｈ１の長手フランジ４１ｃ，４３ｃに沿って溶接されている。上側プレート４５は、幅方向ｗの端部が外側プレート４１及び内側プレート４３から突き出ており、当該突き出た部分には、長さ方向ｌに沿って複数の貫通孔４５ａが等間隔に形成されている。
貫通孔４５ａは、中空セグメント４を積み重ねた場合に、上側に重ねられた中空セグメント４と連結するための連結具（図示せず）のボルトを挿通するためのものである。
【００３４】
図６に示すように、外側プレート４１に沿って延在する上側プレート４５の辺４５ｌの長さは、内側プレート４３に沿って延在する辺４５ｓの長さより大きく形成されている。また、幅方向ｗに沿って延在する互いに溶接される上側プレート４５の辺４５ｌｗは、辺４５ｌと辺４５ｓとの間を斜めに延在しており、辺４５ｌｗに対向する辺４５ｓｗは、辺４５ｌ及び辺４５ｓに対して直角をなして延在している。
【００３５】
（下壁部）
下壁部４６は、軸線ｘが直交するように溶接されている２つの下側プレート４７を備える。下側プレート４７は、貫通孔４７ａを備え、辺４７ｌ、辺４７ｓ、辺４７ｌｗ、辺４７ｓｗを備えて平面視略台形状に形成されている。下側プレート４７の具体的な構成は、上側プレート４５の構成と同じであるため、図６に符号のみを記載して具体的な説明は省く。
なお、貫通孔４７ａは、中空セグメント４を鉛直方向ｖに積み重ねる場合に、下側の中空セグメント４と連結するための連結具（図示せず）のボルトを挿通するためのものである。
【００３６】
（側壁部）
側方プレート（短手壁面プレート）４８，４９は、互いに溶接される上側プレート４５及び下側プレート４７の辺４５ｌｗ，４７ｌｗとは反対側の辺４５ｓｗ，４７ｓｗ側から中空セグメント４を覆う。側方プレート４８，４９は、平面視矩形状の鋼板により形成されている。側方プレート４８，４９は、外側プレート４１及び内側プレート４３の各短手フランジ４１ｃ，４３ｃに溶接されていると共に、幅方向ｗに沿って上側プレート４５及び下側プレート４７の縁部に溶接されている。
側方プレート４８，４９は、幅方向ｗの端部が外側プレート４１及び内側プレート４３から突き出ており、当該突き出た部分には、高さ方向ｈに沿って複数の貫通孔４８ａ，４９ａが等間隔に形成されている。
貫通孔４８ａ，４９ａは、中空セグメント４を、コーナ部Ｃにおいて中空セグメント３と水平方向ｈｒに連結するための連結具（図示せず）のボルトを挿通するためのものである。
【００３７】
（浮力形成部材）
中空セグメント４は、その内部空間４ｉｓに浮力形成部材６を備える。浮力形成部材６の具体的な構成は、中空セグメント３の浮力形成部材５と同じであるので説明は省略する。
【００３８】
［止水壁構造体の構築］
次に、本発明の実施の形態に係る止水壁構造体１００の構築について説明する。河川や海等の水中に立設された橋脚ｂｌの補強・補修を行う際には、図７に示すように、一時的に橋脚ｂｌの周囲にドライな作業空間ｗｓを確保する必要があり、この作業空間ｗｓを確保する仮設工法を、一般的に水中締切又は仮締切と呼び、本発明では特に締切工法と呼ばれている。止水壁構造体１００は、締切工法において使用される。
一般に、締切工法により形成される止水壁構造体１００は、河川や海等の設備環境によっても異なるが、周囲の水による静水圧、水の流れによる流水圧、波による波圧等に対する十分な強度及び止水性能が必要とされている。
止水壁構造体１００の構築前に、橋脚ｂｌに対して所定の間隔をあけて橋脚ｂｌの周囲に鋼製の縦枠８を水底部に打ち込む。次いで、縦枠８と橋脚ｂｌとの間に切梁９を設置する。
【００３９】
続いて、中空セグメント３、中空セグメント４を積載した台船から中空セグメント３を水面ｗｌ上に降ろす。中空セグメント３は、内部空間３ｉｓに浮力形成部材５が充填されているので、当該浮力形成部材５による浮力により完全に水没することなく浮かんだ状態を維持する。
作業者は、水面ｗｌ上に浮かんでいる複数の中空セグメント３の側方プレート３８；３９同士を互いの貫通孔３８ａ；３９ａが整合するように当接させ、貫通孔３８ａ；３９ａにボルトを挿通しナットをボルトに締結することにより、複数の中空セグメント３を互いに連結する。
環状構造体１のコーナ部Ｃを形成する場合には、中空セグメント４を水面ｗｌ上に降ろす。中空セグメント４は、内部空間４ｉｓに浮力形成部材６が充填されているので、当該浮力形成部材６による浮力により完全に水没することなく浮かんだ状態を維持する。
作業者は、水面ｗｌ上に浮かんでいる中空セグメント４の側方プレート４８；４９と、中空セグメント３の側方プレート３８；３９とを、それぞれの貫通孔３８ａ；３９ａ，４８ａ；４９ａが互いに整合するように当接させ、貫通孔３８ａ；３９ａ，４８ａ；４９ａにボルトを挿通しナットをボルトに締結することにより、中空セグメント４と中空セグメント３とを互いに連結する。
【００４０】
かくして、作業者は、水面ｗｌ上で、複数の中空セグメント３及び中空セグメント４を水平方向ｈｒに互いに連結することにより矩形の環状構造体１を形成することができるので、橋脚ｂｌに大規模な足場、及び中空セグメント（中空セグメント３及び中空セグメント４）を吊り下げる昇降装置等を仮設する必要がなくなる。また、環状構造体１を、橋脚ｂｌを囲むようにして水面ｗｌ上において形成することができ、潜水士による水中作業を大幅に減じることができる。
【００４１】
次いで、水面ｗｌ上に浮いた状態にある環状構造体１の上に、複数の中空セグメント３及び中空セグメント４を積み重ねて水平方向ｈｒに連結して他の環状構造体１を構築する。作業者は、積み重ねられた中空セグメント３の下側プレート３６と下側ｈ２の中空セグメント３の上側プレート３４とを、互いの貫通孔３６ａ，３４ａが整合するように当接させ、貫通孔３６ａ，３４ａにボルトを挿通しナットをボルトに締結することにより、鉛直方向ｖに中空セグメント３を連結することができる。
また、積み重ねられた中空セグメント４の下側プレート４７と、下側ｈ２の中空セグメント４の上側プレート４５とを互いの貫通孔４７ａ，４５ａが整合するように当接させ、貫通孔４７ａ，４５ａにボルトを挿通しナットをボルトに締結することにより、鉛直方向ｖに中空セグメント４を連結することができる。
複数の中空セグメント３及び中空セグメント４が積まれた状態において、積み重ねられた中空セグメント３及び中空セグメント４の自重により少なくとも下側ｈ２の環状構造体１は水没するが、積み重ねられた中空セグメント３及び中空セグメント４は、水没せずに浮かんだ状態を維持するようになっている。かくして、水面ｗｌ上において環状構造体１に中空セグメント３及び中空セグメント４を積み重ねて複数の環状構造体１を構築していくことができる。
【００４２】
最下層の環状構造体１が水底部に達するまで上記の作業を繰り返し、かつ水面ｗｌから所定の高さにまで環状構造体１を積み重ねる。かくして、止水壁構造体１００が構築される。
止水壁構造体１００の構築後、橋脚ｂｌの周囲に間隔を介して取り囲むように形成された止水壁構造体１００の内側空間の水をポンプ等で排水することにより、橋脚ｂｌの周囲に乾燥したドライ空間の作業空間ｗｓを提供する。
なお、中空セグメント３の外側プレート３０、内側プレート３２、上側プレート３４、下側プレート３６、及び側方プレート３８，３９は、互いに溶接され、また、中空セグメント４の外側プレート４１、内側プレート４３、上側プレート４５、下側プレート４７、及び側方プレート４８，４９は、互いに溶接されている。したがって、止水壁構造１００においては、その外壁及び内壁の少なくとも一方において止水性が確保されている。また、浮力形成部材５，６において止水性が確保されていてもよい。
【００４３】
止水壁構造体１００の構築に際して、水面ｗｌ上における作業しやすさを考慮して各中空セグメント３及び中空セグメント４に設けられた開閉部材３１，３３，４１ｖ，４３ｖを開放して、開口から内部空間３ｉｓ，４ｉｓ内へ水を浸入させると共に、内部空間３ｉｓ，４ｉｓ内の空気を排出し、環状構造体１を水中に沈めることを制御することができる。
【００４４】
さらに止水壁構造体１００は、外側プレート３０及び内側プレート３２を備えた箱状の中空セグメント３、及び外側プレート４１及び内側プレート４３を備えた箱状の中空セグメント４を用いて構築されているので、例えば、１枚のライナープレートにより外壁及び内壁を構成する従来の止水壁構造体と比して静水圧、流水圧、波圧等に対する強度が著しく向上している。また、外側プレート３０，４１及び内側プレート３２，４３は、それぞれ波状板部２０ａ，４１ａ，３２ａ，４３ａを備えているので、外側プレート３０，４１及び内側プレート３２，４３自体の強度も高くなっている。
【００４５】
例えば、高さ：５００ｍｍ、幅：５５ｍｍ、板厚：２．７ｍｍのライナープレートの断面係数は、２２９９０ｍ３であった。これと同じライナープレートを、外側プレート及び内側プレートに使用し、外側プレートと内側プレートとの間隔を２５０ｍｍにして、板厚：９．０ｍｍの上側プレート及び下側プレートにより外側プレート及び内側プレートを連結した中空セグメントの断面係数は、４６０３００ｍｍ３であった。
つまり、単独のライナープレートの断面係数の比を１とすると、中空セグメントの断面係数は、単独のライナープレートの断面係数の約２０．０倍であった。
止水壁構造体１００の強度は著しく高くなっているので、内壁（内側プレート３２）と橋脚ｂｌとの間に設置される切梁９の数量は、図８に示す単独のライナープレートにより構築された従来の止水壁構造体２００に設置される切梁９の数量と比べて減じられる。かくして、止水壁構造体１００は、従来の止水壁構造体２００と比べて作業空間ｗｓの有効空間を大きく確保することができるので、作業時間を短縮することができる。したがって、補修・補強作業の工期が渇水期に限られている場合であっても、より多くの橋脚ｂｌを限られた期間内に補修・補強することができる。
【００４６】
また、開閉部材３１，３３，４１ｖ，４３ｖにより、中空セグメント３及び中空セグメント４の内部空間３ｉｓ，４ｉｓへの水の注入を調整することができるので、環状構造体１を容易に水中に沈み込ませることを制御することができる。
止水壁構造体１００を解体する際には、中空セグメント３及び中空セグメント４の一方の開閉部材３１；３３，４１ｖ；４３ｖから強制的に内部空間３ｉｓ，４ｉｓ内に空気を送り込み、他方の開閉部材３１；３３，４１ｖ；４３ｖから内部空間３ｉｓ，４ｉｓ内の水を排水することで環状構造体１が再度浮き上がる。かくして、中空セグメント３及び中空セグメント４同士の連結解除を水面ｗｌ上にて行うことができるので、止水壁構造体１００の解体も容易になる。
【００４７】
さらに、平面視矩形状の止水壁構造体１００により、取り囲む橋脚ｂｌの形状に左右されることがなくなるので、橋脚ｂｌの形状に合わせて中空セグメントを用意する必要はなく、橋脚ｂｌに合わせて止水壁構造体１００を構築することができる。
【００４８】
＜その他＞
なお、止水壁構造体１００の平面視形状は、矩形状に限定されず、中空セグメント３を互いに連結することで断面視略楕円形、又は略長円形のような他の形状を備える環状構造体１を形成してもよい。この場合、複数の中空セグメント３同士を互いに直接的に連結しても、所定の介在部材を介して間接的に連結してもよい。
また、環状構造体１のコーナ部Ｃに使用される中空セグメント３及び中空セグメント４を、長さ方向ｌに沿って湾曲した外側プレート及び内側プレートを用いて形成することもできる。この場合、上側プレート及び下側プレートは、外側プレート及び内側プレートに沿って湾曲して形成されている。
また、開閉部材３１，３３，４１ｖ，４３ｖは、外側プレート３０，４１及び内側プレート３２，４３の両方に設けられている必要はなく、少なくとも一方に設けられていればよい。
また、浮力形成部材５，６は、発泡体に限られず、中空セグメント３及び中空セグメント４の内部空間３ｉｓ，４ｉｓ内に閉じ込められた空気であってもよい。
【符号の説明】
【００４９】
１  環状構造体
３，４  中空セグメント
３ｉｓ  内部空間
３０  外側プレート
３０ａ  波状板部
３１  開閉部材
３２  内側プレート
３２ａ  波状板部
３３  開閉部材
３４  上側プレート（長手壁面プレート）
３４ａ  貫通孔
３６  下側プレート（長手壁面プレート）
３６ａ  貫通孔
３８，３９  側方プレート（短手壁面プレート）
３８ａ，３９ａ  貫通孔
４ｉｓ  内部空間
４１  外側プレート
４１ａ  波状板部
４１ｖ  開閉部材
４３  内側プレート
４３ａ  波状板部
４３ｖ  開閉部材
４５  上側プレート（長手壁面プレート）
４５ａ  貫通孔
４７  下側プレート（長手壁面プレート）
４７ａ  貫通孔
４８，４９  側方プレート（短手壁面プレート）
４８ａ，４９ａ  貫通孔
５，６  浮力形成部材
ｈｒ  水平方向
ｖ  鉛直方向
【図１】
2018138726.tif 000003
【図２】
2018138726.tif 000004
【図３】
2018138726.tif 000005
【図４】
2018138726.tif 000006
【図５】
2018138726.tif 000007
【図６】
2018138726.tif 000008
【図７】
2018138726.tif 000009
【図８】
2018138726.tif 000010